(57)【要約】【課題】固体化学蓄熱材を利用する蓄熱技術において、効率良く蓄熱を行うこと。【解決手段】固体化学蓄熱材３１を格納する蓄熱槽３０内に挿通されている熱交換用管３２内に、固体化学蓄熱材３１の作動温度以上の気体ｇ０を流す気体流通工程と、気体流通工程における、熱交換用管３２の蓄熱槽３０内での気体ｇ０の入口と出口とを逆転させる切替工程と、を包含している蓄熱方法。【選択図】図２
2014105925.tif 000002
【特許請求の範囲】
【請求項１】
固体化学蓄熱材を格納する蓄熱槽内に挿通されている熱交換用管内に、該固体化学蓄熱材の作動温度以上の気体を流す気体流通工程と、
該気体流通工程における、該熱交換用管の該蓄熱槽内での該気体の入口と出口とを逆転させる切替工程と、を包含していることを特徴とする蓄熱方法。
【請求項２】
上記熱交換用管が、Ｕ字形状を有していることを特徴とする請求項１に記載の蓄熱方法。
【請求項３】
上記蓄熱槽が、並列に配置された複数の分槽からなり、各分槽にそれぞれ上記熱交換用管が挿通されていることを特徴とする請求項１または２に記載の蓄熱方法。
【請求項４】
上記気体流通工程では、複数の上記熱交換用管内に並行して上記気体を流すことを特徴とする請求項３に記載の蓄熱方法。
【請求項５】
上記入口と上記出口との中間地点に隣接する部位における上記固体化学蓄熱材の温度を測定する測温工程を包含しており、
上記気体流通工程を開始した後、上記測温工程において測定した上記温度が予め定められた温度以上となったときに、上記切替工程を実行することを特徴とする請求項１〜４の何れか一項に記載の蓄熱方法。
【請求項６】
上記切替工程を実行した後、上記測温工程において測定した上記温度が再度予め定められた温度以上となったときに、上記気体流通工程を終了することを特徴とする請求項５に記載の蓄熱方法。
【請求項７】
上記気体は、熱源装置からの排ガスであることを特徴とする請求項１〜６の何れか一項に記載の蓄熱方法。
【請求項８】
固体化学蓄熱材を格納する蓄熱槽と、
該蓄熱槽内に挿通されている熱交換用管と、
該熱交換用管内に、該固体化学蓄熱材の作動温度以上の気体を流す気体流通手段と、
該気体流通手段が該気体を流すときの、該熱交換用管の該蓄熱槽内での該気体の入口と出口とを逆転させる切替手段と、を備えていることを特徴とする蓄熱装置。
【請求項９】
請求項８に記載の蓄熱装置と、
熱源装置と、を備えており、
上記気体が、該熱源装置からの排ガスであることを特徴とする蓄熱システム。
【発明の詳細な説明】
【技術分野】
【０００１】
本発明は、蓄熱技術に関するものであり、特に、化学蓄熱材を利用する蓄熱技術に関するものである。
【背景技術】
【０００２】
発電と同時に熱も供給するコージェネレーションシステムは、総合効率が高いシステムである。しかし、夜間などは熱需要が少なく、負荷バランスが良好でないことがある。そこで、熱需要が少ないときの排熱を有効活用するため、蓄熱材を用いた技術が開発されている。
【０００３】
特許文献１〜８および非特許文献１には、蓄熱材を用いたコージェネレーションシステムおよび関連技術が記載されている。特に、非特許文献１には、蓄熱材として酸化マグネシウムを用い、ガスエンジンの排熱を用いて蓄熱材に蓄熱し、ガスエンジンのジャケット冷却水の熱を用いて蓄熱材に熱出力させる、効率の良いコージェネレーションシステムが記載されている。
【先行技術文献】
【特許文献】
【０００４】
【特許文献１】特開２００５−２１４４４９号公報（２００５年８月１１日公開）
【特許文献２】特開平１１−１１７７１３号公報（１９９９年４月２７日公開）
【特許文献３】特開２０１１−２１８９１９号公報（２０１１年１１月４日公開）
【特許文献４】特開２０１０−１３３４２７号公報（２０１０年６月１７日公開）
【特許文献５】特開２０１１−１９０９４７号公報（２０１１年９月２９日公開）
【特許文献６】特開２０１０−８４６０４号公報（２０１０年４月１５日公開）
【特許文献７】特開２００９−３６４８４号公報（２００９年２月１９日公開）
【特許文献８】特開平３−９９１４２号公報（１９９１年４月２４日公開）
【非特許文献】
【０００５】
【非特許文献１】Yukitaka Kato, Akihiko Watanabe, Yoshio Yoshizawa; “A Chemical Heat Pump for Performance Enhancement of a Cogeneration System” TERRASTOCK2000, vol. 1, pp. 397-402, Stuttgart, Germany (1 September, 2000)
【発明の概要】
【発明が解決しようとする課題】
【０００６】
但し、非特許文献１には、蓄熱材への蓄熱方法の詳細については記載されていない。非特許文献１に記載の技術のような固体化学蓄熱材を利用する蓄熱技術において、効率良く蓄熱するための技術を提供することは非常に有用である。
【０００７】
本発明は、上記課題に鑑みてなされたものであり、固体化学蓄熱材を利用する蓄熱技術において、効率良く蓄熱を行うための技術を提供することを主たる課題とする。
【課題を解決するための手段】
【０００８】
本発明者らの独自の知見によれば、ガスエンジン等の排ガスを用いて、酸化マグネシウムのような固体化学蓄熱材に蓄熱するとき、単に、固体化学蓄熱材を格納する蓄熱槽内に排ガスを流すだけでは、排ガスの出口近くの温度が排ガスの入口近くの温度よりも低くなるため、固体化学蓄熱材が均一に加熱されず、有効に蓄熱されない固体化学蓄熱材の量が増加し、蓄熱の効率が低下する。そこで、本発明者らは鋭意検討を行い、蓄熱を行う際に、蓄熱槽内での排ガスの入口と出口とを所定のタイミングで逆転させることにより、固体化学蓄熱材に対する加熱を均一化して、蓄熱効率を高めることができることを見出し、本発明を完成させた。
【０００９】
すなわち、本発明に係る蓄熱方法は、固体化学蓄熱材を格納する蓄熱槽内に挿通されている熱交換用管内に、該固体化学蓄熱材の作動温度以上の気体を流す気体流通工程と、該気体流通工程における、該熱交換用管の該蓄熱槽内での該気体の入口と出口とを逆転させる切替工程と、を包含していることを特徴としている。
【００１０】
上記の構成によれば、固体化学蓄熱材の作動温度以上の気体を熱交換用管内に流すことによって、固体化学蓄熱材を加熱して蓄熱することができる。ここで、気体が熱交換用管内を流れるにつれ上記気体の熱が徐々に固体化学蓄熱材に奪われるため、出口に隣接する部位では、上記気体の温度が低くなり、出口に隣接する部位の固体化学蓄熱材に対してあまり熱を与えることができない。しかしながら、入口と出口とを逆転させる切替工程を実行することにより、元々の出口に隣接する部位にあり、あまり熱が与えられなかった固体化学蓄熱材に対しても十分な熱を与えることができるようになる。これにより、固体化学蓄熱材に対する加熱を均一化して、有効に蓄熱し得る固体化学蓄熱材の量を増加させ、蓄熱効率を高めることができる。
【００１１】
本発明に係る蓄熱方法では、上記熱交換用管が、Ｕ字形状を有していることが好ましい。
【００１２】
上記の構成によれば、熱交換用管がＵ字形状を有しているため、Ｕ字の底部は蓄熱槽内において遊動可能である。そのため、熱交換用管が熱膨張により変形したとしても、熱交換用管の破損を避けることができる。また、熱交換用管の入口および出口を蓄熱槽の片側に配置することができるため、上記切替工程を容易に実行することができる。なお、熱交換用管には、フィンが付加されていてもよい。
【００１３】
本発明に係る蓄熱方法では、上記蓄熱槽が、並列に配置された複数の分槽からなり、各分槽にそれぞれ上記熱交換用管が挿通されていることが好ましい。
【００１４】
上記の構成によれば、蓄熱槽を複数の分槽から構成し、各々に熱交換用管を挿通して加熱することにより、流路抵抗を低減することができると共に、蓄熱槽内の位置によって、最も近い熱交換用管からの距離が大きく違うような状態を避け、蓄熱槽内の固体化学蓄熱材をより均一に加熱することができる。
【００１５】
本発明に係る蓄熱方法は、上記気体流通工程では、複数の上記熱交換用管内に並行して上記気体を流すことが好ましい。
【００１６】
上記の構成によれば、複数の熱交換用管内に並行して気体を流すことにより、蓄熱槽内の固体化学蓄熱材をより均一に加熱することができる。
【００１７】
本発明に係る蓄熱方法は、上記入口と上記出口との中間地点に隣接する部位における上記固体化学蓄熱材の温度を測定する測温工程を包含しており、上記気体流通工程を開始した後、上記測温工程において測定した上記温度が予め定められた温度以上となったときに、上記切替工程を実行するものであってもよい。
【００１８】
上記の構成によれば、上記入口と上記出口との中間地点に隣接する部位における上記固体化学蓄熱材の温度は、上記蓄熱槽に十分な熱を与えられたかの指標となるため、当該温度に応じて切替工程を実行することにより、好適なタイミングで切替工程を実行することができる。
【００１９】
ここで、上記の構成によれば、気体流通工程を開始した後、入口と出口の中間地点に隣接する部位における固体化学蓄熱材の温度が予め定められた温度以上となったとき切替工程を実行する。これにより、入口に隣接する部位から中間地点に隣接する部位までの固体化学蓄熱材に蓄熱された時点を見極め、熱交換用管の入口と出口を切り替えることで、既に脱水反応により吸熱し終えた入口に隣接する部位から中間地点に隣接する部位までの固体化学蓄熱材に気体の顕熱を奪われることなく、効率的に切替工程前の出口に隣接する部位（切替工程後の入口に隣接する部位）から中間地点に隣接する部位までの蓄熱材を加熱することができる。
【００２０】
本発明に係る蓄熱方法では、上記切替工程を実行した後、上記測温工程において測定した上記温度が再度予め定められた温度以上となったときに、上記気体流通工程を終了するものであってもよい。
【００２１】
上記の構成によれば、固体化学蓄熱材の全体に亘って十分に蓄熱を行うことができる。
【００２２】
本発明に係る蓄熱方法では、上記気体は、熱源装置からの排ガスであることが好ましい。
【００２３】
上記の構成によれば、熱源装置からの排熱を固体化学蓄熱材に効率良く蓄熱を行うことができる。
【００２４】
本発明に係る蓄熱装置は、固体化学蓄熱材を格納する蓄熱槽と、該蓄熱槽内に挿通されている熱交換用管と、該熱交換用管内に、該固体化学蓄熱材の作動温度以上の気体を流す気体流通手段と、該気体流通手段が該気体を流すときの、該熱交換用管の該蓄熱槽内での該気体の入口と出口とを逆転させる切替手段と、を備えていることを特徴としている。また、本発明に係る蓄熱システムは、本発明に係る蓄熱装置と、熱源装置と、を備えており、上記気体が、該熱源装置からの排ガスであることを特徴としている。
【００２５】
上記の構成によれば、本発明に係る蓄熱方法と同等の効果を奏する。
【発明の効果】
【００２６】
本発明によれば、固体化学蓄熱材に効率良く蓄熱を行うことができる。
【図面の簡単な説明】
【００２７】
【図１】本発明の一実施形態に係る蓄熱システムの概略構成を示すブロック図であり、（ａ）は、蓄熱モード時の状態を示し、（ｂ）は、熱出力モード時の状態を示す。
【図２】（ａ）は、本発明の一実施形態に係る蓄熱システムにおける蓄熱槽の詳細を示す模式図であり、（ｂ）は、そのバリエーションを示す模式図である。
【図３】本発明の一実施形態に係る蓄熱システムにおける熱交換用管内の気体の温度変化の一例を示すグラフである。
【発明を実施するための形態】
【００２８】
（蓄熱システム）
図１は、本発明の一実施形態に係る蓄熱システム１の概略構成を示すブロック図であり、（ａ）は、蓄熱モード時の状態を示し、（ｂ）は、熱出力モード時の状態を示す。図１に示すように、蓄熱システム１は、ガスエンジン（熱源装置）１０、蓄熱装置２０およびボイラ５０を備えている。
【００２９】
ガスエンジン１０は、電力および熱を発生させる発電装置である。これにより、蓄熱システム１は、電力および熱の両方を提供するコージェネレーションシステムとして機能する。発電装置として、ガスエンジン１０の他、例えば、ガスタービン、ディーゼルエンジン、燃料電池セル等の公知の発電装置を用いることができる。発電装置の熱電比も特に限定されない。
【００３０】
ただし、本実施形態に係る蓄熱システム１は、発電装置を備えたコージェネレーションシステムに限定されない。すなわち、蓄熱システム１は、排熱を含んだ排ガスを排出し、当該排ガスを介して蓄熱装置２０に熱を与える熱源装置を備えていればよい。そのような熱源装置としては、発電装置以外に、これらに限定されないが、例えば、加熱炉等が挙げられる。また、熱源装置は単一の装置に限定されず、排熱を伴う複数の装置から構成されていてもよい。
【００３１】
蓄熱装置２０は、固体化学蓄熱材を利用して、蓄熱および熱出力を行う装置である。本明細書において、「固体化学蓄熱材」とは、化学的な反応により吸熱および発熱をする固形物を指し、例えば、特定の金属酸化物と、当該特定の金属酸化物に対して可逆的な脱離反応および付加反応をする分子との組合せからなり、一般に、脱離反応により吸熱し、付加反応により発熱する。固体化学蓄熱材の具体例としては、これらに限定するものではないが、金属酸化物と水との組合せであるＮｉＯ／Ｈ２Ｏ、ＣａＳＯ４／Ｈ２Ｏ、ＣｏＯ／Ｈ２Ｏ、ＣｕＯ／Ｈ２Ｏ、ＭｇＣｌ２／Ｈ２Ｏ、ＣａＣｌ２／Ｈ２Ｏ、ＭｇＯ／Ｈ２Ｏ、ＣａＯ／Ｈ２Ｏ、金属酸化物と水素との組合せであるＭｇ／Ｈ２、金属酸化物とアンモニアとの組合せであるＦｅＣｌ２／ＮＨ３、金属酸化物と二酸化炭素との組合せであるＭｇＯ／ＣＯ２等が挙げられる。
【００３２】
これらの固体化学蓄熱材は、作動温度以上で吸熱反応、すなわち蓄熱を行う。系内１気圧付近時の各固体化学蓄熱材における作動温度は、表１に示すとおりである。また、これらの固体化学蓄熱材は、付加反応開始温度以上で発熱、すなわち熱出力を行う。
【００３３】
【表１】
2014105925.tif 000003
【００３４】
蓄熱装置２０において利用する固体化学蓄熱材３１は、ガスエンジン１０からの排ガスの温度が、当該固体化学蓄熱材の作動温度を超えるように選択すればよい。また、固体化学蓄熱材３１の形状は特に限定されず、例えば、ペレット状、紛状等であり得る。
【００３５】
本実施形態では、蓄熱装置２０は、固体化学蓄熱材３１として金属酸化物と水との組合せを用いる。この場合、図１に示すように、蓄熱装置２０は、固体化学蓄熱材３１を格納する蓄熱槽３０に加えて、蓄熱槽３０に連通し、水を溜める水容器４０を備えている。蓄熱槽３０および水容器４０は、互いに内部が連通しているとともに、外部から密閉されている。これにより、蓄熱装置２０では、蓄熱時には、生成した水を水容器４０に溜め、熱出力時には、水容器４０中の水から水蒸気を生成して蓄熱槽３０内の固体化学蓄熱材３１に供給することができる。なお、他の種類の固体化学蓄熱材を用いる場合も、同様に、付加および脱離される分子を容れる容器を適宜設ければよい。
【００３６】
ボイラ５０は、熱源装置の排熱を利用して水蒸気を生成する装置であり、公知の排熱回収ボイラ等を用いることができる。
【００３７】
蓄熱システム１は、その他、排ガス、熱媒体等の流路や、当該流路に設けられたブロア、ポンプおよび各種弁、各部を冷却するための冷却手段、各部を保温するための断熱材、各部を支持するための支持体および筐体などを適宜備えていてもよい。
【００３８】
蓄熱システム１は、熱需要が少ないときは、蓄熱装置２０に蓄熱する蓄熱モードで、熱需要が増大したときには、蓄熱装置２０およびボイラ５０において水蒸気を生成する熱出力モードで動作する。これにより、熱需要に変化がある場合であっても、熱を有効利用することができる。
【００３９】
なお、熱出力モードにおいて生成する水蒸気は、特に限定されないが、例えば、吸収式冷温水機の熱源として利用してもよいし、工場等において、加熱、乾燥、消毒等に使用するプロセス蒸気として利用してもよい。
【００４０】
以下蓄熱モードおよび熱出力モード時の動作について詳細に説明する。なお、以下では、説明の便宜上、一試算例に基づく各部の温度を示しているが、本発明はこれに何ら限定されるものではない。
【００４１】
（蓄熱モード）
図１（ａ）は、蓄熱システム１の蓄熱モードにおける状態を示す図である。図１（ａ）に示すように、蓄熱モード時において、ガスエンジン１０には燃料ｆが供給されるとともに、ジャケット冷却水ｃ０が循環されている。そして、ガスエンジン１０からは排ガス（気体）ｇ０が排出される。排ガスｇ０は、例えば、４００℃であり、その温度は発電負荷に対してほぼ一定である。
【００４２】
排ガスｇ０は、蓄熱槽３０に供給され、蓄熱槽３０内の固体化学蓄熱材３１との間で熱交換を行い（気体流通工程）、排ガスｇ１として排出される。排ガスｇ０の熱を受け取った蓄熱槽３０内の固体化学蓄熱材３１は、蓄熱を行うと共に、水蒸気ｖ０を生成する。なお、固体化学蓄熱材３１は、当該固体化学蓄熱材３１の作動温度よりも、排ガスｇ０の温度の方が高くなるように選択されており、本実施形態では、例えば、ＭｇＯ／Ｈ２Ｏである。水蒸気ｖ０は、水容器４０（または蓄熱槽３０と水容器４０との間の流路）に設けられた熱交換器における冷却水ｃ１との熱交換によって、凝縮して水となり、水容器４０に溜められる。
【００４３】
（蓄熱槽）
図２（ａ）は、一実施形態における蓄熱槽３０の構成を示す模式図である。図２（ａ）に示すように、本実施形態において、蓄熱槽３０は、並列に配置され、それぞれが固体化学蓄熱材３１を格納する複数の分槽３０ａと、各分槽３０ａに挿入され、排ガスｇ０を流すための熱交換用管３２と、熱交換用管３２内に流す排ガスｇ０の制御を行う切替部（気体流通手段、切替手段）３３とを備えている。ここで、熱交換用管３２における蓄熱槽３０内での排ガスｇ０の入口と出口とに相当する部位を部位３２ａおよび３２ｃと称し、それらの中間地点を部位３２ｂと称する。また、部位３２ａ、３２ｂおよび３２ｃに隣接する固体化学蓄熱材３１の部位をそれぞれ部位３１ａ、３１ｂおよび３１ｃと称する。なお、部位３１ｂは、少なくとも部位３２ａおよび３２ｃよりも部位３２ｂに近い。
【００４４】
切替部３３が、熱交換用管３２内に、排ガスｇ０（固体化学蓄熱材３１の作動温度以上の気体）を流すことにより、排ガスｇ０と、固体化学蓄熱材３１との間で熱交換を行い、固体化学蓄熱材３１を加熱して蓄熱することができる。
【００４５】
ここで、排ガスｇ０が熱交換用管３２内を流れるにつれ排ガスｇ０の熱が徐々に固体化学蓄熱材３１に奪われるため、出口に隣接する部位では、排ガスｇ０の温度が低くなり、出口に隣接する部位の固体化学蓄熱材３１に対してあまり熱を与えることができない。
【００４６】
しかし、切替部３３は、所定のタイミングで、熱交換用管３２の蓄熱槽３０内での排ガスｇ０の入口と出口とを逆転させる切替工程を実行する。すなわち、切替部３３は、排ガスｇ０の流れを制御することにより、例えば、部位３２ａが入口となり、部位３２ｃが出口となり、排ガスｇ０が部位３２ａから３２ｂを介して３２ｃまで流れている状態から、部位３２ｃが入口となり、部位３２ａが出口となり、排ガスｇ０が部位３２ｃから３２ｂを介して３２ａまで流れている状態に切り替えること、およびその逆の操作を行うことができる。
【００４７】
これにより、熱交換用管３２における元々の出口に隣接する部位にあり、あまり熱が与えられなかった固体化学蓄熱材３１に対しても十分な熱を与えることができるようになる。これにより、固体化学蓄熱材３１に対する加熱を均一化して、有効に蓄熱し得る固体化学蓄熱材３１の量を増加させ、蓄熱効率を高めることができる。
【００４８】
熱交換用管３２は、例えば、図２（ａ）に示すようにＵ字形状を有している。このとき、Ｕ字の底部は蓄熱槽３０内において遊動可能である。そのため、熱交換用管３２が熱膨張により変形したとしても、蓄熱槽３０内で熱交換用管３２の位置がずれるだけであり、熱交換用管３２の破損を避けることができる。また、熱交換用管３２の入口および出口を蓄熱槽３０の片側に配置することができるため、切替部３３を熱交換用管３２の入口および出口に近い位置に配置することができ、切替用の配管、操作弁等の構成を簡易に構成することができる。
【００４９】
なお、熱交換用管３２には、適宜フィンが付加されていてもよい。このとき、熱交換用管３２は、フィンを除いた部分の形状が、全体としてＵ字形状であることが好ましい。
【００５０】
また、蓄熱槽３０を複数の分槽３０ａから構成し、各々に熱交換用管３２を挿通して加熱することにより、流路抵抗を低減することができると共に、蓄熱槽３０内の位置によって、最も近い熱交換用管３２からの距離が大きく違うような状態を避け、特に、複数の熱交換用管３２内に並行して気体を流すことにより、蓄熱槽３０内の固体化学蓄熱材３１をより均一に加熱することができる。
【００５１】
続いて、図３を参照して、切替部３３による切替工程の実行のタイミングの例について説明する。図３では、切替工程を、熱交換用管３２の入口と出口の中間地点に隣接する部位における固体化学蓄熱材３１の温度に基づいて行う場合について説明する。本明細書において「熱交換用管３２の入口と出口の中間地点」とは、熱交換用管３２における入口と出口との間を三等分したときの中央（二番目）の領域内の地点を指す。特に好ましくは、中間地点は、熱交換用管３２における入口と出口との間を二等分する位置である。本実施形態では、当該中間地点に隣接する固体化学蓄熱材３１の部位３１ｂに図示しない温度計（測温手段）が設けられており、熱交換用管３２の蓄熱槽３０での入口と出口の中間地点に隣接する部位における固体化学蓄熱材３１の温度の測定（測温工程）を行うことができるようになっている。
【００５２】
図３は、熱交換用管３２に隣接する固体化学蓄熱材３１の各部位の温度変化の一例を示すグラフである。図中、ａは部位３１ａにおける固体化学蓄熱材３１の温度を、ｂは部位３１ｂにおける固体化学蓄熱材３１の温度を、ｃは部位３１ｃにおける固体化学蓄熱材３１の温度をそれぞれ示す。また、切替工程Ｄ２を図中に示している。期間ｒ１では、部位３２ａが入口であり、部位３２ｃが出口であり、期間ｒ２ではその逆となる。また、Ｄ３は、固体化学蓄熱材３１の作動温度を示す。
【００５３】
図３に示すように、実行される切替工程Ｄ２は、熱交換用管３２の入口と出口の中間地点に隣接する部位３１ｂ（中間地点近傍の部位）における固体化学蓄熱材３１の温度が、予め定められた温度Ｄ１以上となったときに実行される。これにより、気体流通工程を開始してからの運転（期間ｒ１）では、熱交換用管３２の入口に隣接する部位から中間地点に隣接する部位にある固体化学蓄熱材３１（部位３１ａ〜３１ｂ）が逐次加熱され、脱水反応が完了する。
【００５４】
そして、切替工程Ｄ２以降の運転（期間ｒ２）は、熱交換用管３２の入口と出口の中間地点に隣接する固体化学蓄熱材３１の部位３１ｂの温度が、再度、予め定められた温度Ｄ１以上となるまで続けられる。これにより、切替工程Ｄ２以降の運転（期間ｒ２）では、熱交換用管３２の入口に隣接する部位（切替工程Ｄ２前の出口に隣接する部位）から中間地点に隣接する部位にある固体化学蓄熱材３１（部位３１ｃ〜３１ｂ）が逐次加熱され、脱水反応が完了する。以上により、固体化学蓄熱材の全体に亘って十分に蓄熱を行うことができる。
【００５５】
すなわち、熱交換用管３２の入口に隣接する部位から中間地点に隣接する部位までの固体化学蓄熱材３１（部位３１ａ〜３１ｂ）に蓄熱された時点を見極め、熱交換用管３２の入口と出口を切り替えることで、既に脱水反応により吸熱し終えた入口に隣接する部位から中間地点に隣接する部位までの固体化学蓄熱材３１（部位３１ａ〜３１ｂ）に気体の顕熱を奪われることなく、効率的に切替工程前の出口に隣接する部位（切替工程後の入口に隣接する部位）から中間地点に隣接する部位までの固体化学蓄熱材３１（部位３１ｃ〜３１ｂ）を加熱して、固体化学蓄熱材３の全体を効率よく加熱することができる。
【００５６】
なお、熱交換用管３２の蓄熱槽３０での中間地点に隣接する固体化学蓄熱材３１の部位３１ｂの温度は、蓄熱槽３０全体にどれだけの熱を与えられたかの好適な指標となるため、当該中間地点に隣接する固体化学蓄熱材３１の部位３１ｂの温度に応じて切替工程を実行することにより、好適なタイミングで切替工程を実行することができる。
【００５７】
但し、切替工程のタイミングは、上述したものに限定されない。例えば、タイマーを用いて予め定められた時間毎に行うようにしてもよい。
【００５８】
なお、他の実施形態において、蓄熱槽３０は、図２（ｂ）に示すように構成することもできる。すなわち、蓄熱槽３０は、複数の分槽３０ａから構成されている必要はなく、単層であってもよい。蓄熱槽３０を、複数の分槽３０ａから構成するか否かは、例えば、蓄熱槽３０の規模に応じて選択すればよい。また、熱交換用管３２は、Ｕ字形状を有している必要はなく、他の形状、例えば、図２（ｂ）に示すような直線上の形状であってもよい。
【００５９】
また、蓄熱槽３０から排出される排ガスｇ１の温度は、一例において３００℃であり、排ガスｇ１の熱を用いて、さらに二次蓄熱材（公知の顕熱蓄熱材、潜熱蓄熱材、化学蓄熱材等）に蓄熱するようにしてもよい。
【００６０】
（熱出力モード）
図１（ｂ）は、蓄熱システム１の熱出力モードにおける状態を示す図である。図１（ｂ）に示すように、熱出力モード時においても、蓄熱モード時と同様に、ガスエンジン１０には燃料ｆが供給されるとともに、ジャケット冷却水ｃ０が循環されている。そして、ガスエンジン１０からは排ガスｇ０が排出される。排ガスｇ０は、例えば、４００℃であり、ガスエンジン１０に導入されるジャケット冷却水ｃ０は８３℃であり、ガスエンジン１０から排出されるジャケット冷却水ｃ０は８８℃であるとする。
【００６１】
排ガスｇ０は、ボイラ５０に供給され、ボイラ５０に供給される水ｗ１との間で熱交換を行い、排ガスｇ２として排出される。排ガスｇ０の熱を受け取った水ｗ１は、蒸発して水蒸気ｖ１となり、蓄熱システム１から出力される。水蒸気ｖ１の温度は、例えば、１７０℃であり、排ガスｇ２の温度は、例えば、１５０℃となる。
【００６２】
また、並行して、ガスエンジン１０からの熱を受け取ったジャケット冷却水ｃ０が、水容器４０内を通過し、水容器４０内の水と熱交換を行う。ジャケット冷却水ｃ０からの熱を受け取った水は、飽和蒸気圧に従って水蒸気ｖ３となり、蓄熱槽３０内に供給される。
【００６３】
水蒸気ｖ３が供給された蓄熱槽３０内の固体化学蓄熱材３１は、水和（付加）反応により熱出力し、蓄熱槽３０に供給される水ｗ２との間で熱交換を行う。固体化学蓄熱材３１からの熱出力を受け取った水ｗ２は、蒸発して水蒸気ｖ２となり、蓄熱システム１から出力される。
【００６４】
なお、蓄熱槽３０内の固体化学蓄熱材３１は、水和（付加）反応開始温度まで予熱されていることが好ましい。当該予熱には、例えば、排ガスｇ２と熱交換する熱交換器（図示せず）を用いてもよい。排ガスｇ２の熱を用いて固体化学蓄熱材３１を予熱する場合、排ガスｇ２の温度は、僅か数度低下するだけで、固体化学蓄熱材３１を十分に予熱することができる。なお、予熱条件の制御は、固体化学蓄熱材３１を測温し、水和（付加）反応開始温度以上になるように制御してもよいし、予め実験的に求めた水和（付加）反応開始温度以上にするための条件で制御してもよい。
【００６５】
また、水容器４０内の水の加熱に、ジャケット冷却水ｃ０からの熱だけでなく、排ガスｇ２の熱や、上述した二次蓄熱材（図示せず）の熱出力などをさらに用いてもよい。また、排ガスｇ２の熱を用いて、水蒸気ｖ３を加熱してもよい。これにより、外部からのエネルギーを加えることなく、効率良く熱出力を行うことができる。
【産業上の利用可能性】
【００６６】
本発明は、化学蓄熱材を利用し、熱の有効利用を行う技術分野において好適に利用可能である。
【符号の説明】
【００６７】
１      蓄熱システム
１０    ガスエンジン（熱源装置）
２０    蓄熱装置
３０    蓄熱槽
３０ａ  分槽
３１    固体化学蓄熱材
３２    熱交換用管
３３    切替部（切替手段、気体流通手段）
４０    水容器
５０    ボイラ
ｇ０    排ガス（気体）
【図１】
2014105925.tif 000004
【図２】
2014105925.tif 000005
【図３】
2014105925.tif 000006